【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】
ストレス耐性である植物を産生するための方法であって、該方法は、該植物の細胞内にキメラ遺伝子を導入しトランスジェニック植物細胞を得ること、ここで、該キメラ遺伝子は、下記の動作可能に結合されたＤＮＡ領域：
（ａ）植物発現性プロモーター、
（ｂ）転写されたときにＲＮＡ分子を生じるＤＮＡ領域であって、該ＲＮＡ分子は、内因性ＰＡＲＰ遺伝子又はその相補物からの１００ヌクレオチドのヌクレオチド配列と７５％〜１００％の同一性を有する１００ヌクレオチドのヌクレオチド配列を含む、及び
（ｃ）転写終結及びポリアデニル化に関与するＤＮＡ領域
を含み、及び、
該トランスジェニック植物細胞から植物を再生すること
を含む方法。
【請求項２】
該ストレスが、寒冷ストレス、乾燥ストレス又は熱ストレスから選択される、請求項１に記載の方法。
【請求項３】
該キメラ遺伝子が、下記の動作可能に結合されたＤＮＡ領域：
（ａ）植物発現性プロモーター、
（ｂ）転写されたときにＲＮＡ分子を生じるＤＮＡ領域であって、該ＲＮＡ分子は、内因性ＰＡＲＰ遺伝子の発現を低下させることができ、該ＲＮＡ分子は、
ｉ）該植物の内因性ＰＡＲＰ遺伝子のヌクレオチド配列と７５％〜１００％の同一性を有する１００ヌクレオチドのヌクレオチド配列を含むセンスヌクレオチド配列、及び
ii）該植物の内因性ＰＡＲＰ遺伝子のヌクレオチド配列と７５％〜１００％の同一性を有する１００ヌクレオチドのヌクレオチド配列を含むアンチセンスヌクレオチド配列、
を含み、該センスヌクレオチド配列及び該アンチセンスヌクレオチド配列は、二本鎖ＲＮＡ領域内に結合することができ、
（ｃ）転写終結及びポリアデニル化に関与するＤＮＡ領域
を含み、
該トランスジェニック植物細胞から植物を再生すること
を含む、請求項１又は２に記載の方法。
【請求項４】
該キメラ遺伝子が、下記の動作可能に結合されたＤＮＡ領域：
（ａ）植物発現性プロモーター、
（ｂ）転写されたときにＲＮＡ分子を生じるＤＮＡ領域であって、該ＲＮＡ分子は、内因性ＰＡＲＰ遺伝子の発現を低下させることができ、該ＲＮＡ分子は、
ｉ）配列番号２のアミノ酸配列を有するタンパク質をコードするヌクレオチド配列、配列番号４のアミノ酸配列を有するタンパク質をコードするヌクレオチド配列、配列番号６のアミノ酸配列を有するタンパク質をコードするヌクレオチド配列及び配列番号１１のアミノ酸配列を有するタンパク質をコードするヌクレオチド配列からなる群より選択されるヌクレオチド配列と７５％〜１００％の同一性を有する１００ヌクレオチドのヌクレオチド配列を含むセンスヌクレオチド配列、及び
ii）配列番号２のアミノ酸配列を有するタンパク質をコードするヌクレオチド配列、配列番号４のアミノ酸配列を有するタンパク質をコードするヌクレオチド配列、配列番号６のアミノ酸配列を有するタンパク質をコードするヌクレオチド配列及び配列番号１１のアミノ酸配列を有するタンパク質をコードするヌクレオチド配列からなる群より選択されるヌクレオチド配列の相補物と７５％〜１００％の同一性を有する１００ヌクレオチドのヌクレオチド配列を含むアンチセンスヌクレオチド配列、
を含み、該センスヌクレオチド配列及び該アンチセンスヌクレオチド配列は、二本鎖ＲＮＡ領域内に結合することができ、
（ｃ）転写終結及びポリアデニル化に関与するＤＮＡ領域
を含む、請求項１に記載の方法。
【請求項５】
該ＲＮＡ分子が、
ｉ）配列番号１のヌクレオチド配列、配列番号３のヌクレオチド配列、配列番号５のヌクレオチド配列及び配列番号１０のヌクレオチド配列からなる群より選択されるヌクレオチド配列と７５％〜１００％の同一性を有する１００ヌクレオチドのヌクレオチド配列を含むセンスヌクレオチド配列、及び
ii）配列番号１のヌクレオチド配列、配列番号３のヌクレオチド配列、配列番号５のヌクレオチド配列及び配列番号１０のヌクレオチド配列からなる群より選択されるヌクレオチド配列の相補物と７５％〜１００％の同一性を有する１００ヌクレオチドのヌクレオチド配列を含むアンチセンスヌクレオチド配列
を含む、請求項１又は２に記載の方法。
【請求項６】
該植物発現性プロモーターが、構成プロモーターである、請求項１〜５のいずれか１項に記載の方法。
【請求項７】
さらに、慣用の育種計画による該キメラ遺伝子を含むより多くの植物を産生する工程を含む、請求項１〜６のいずれか１項に記載の方法。
【請求項８】
該植物が、トウモロコシ、採油用セイヨウアブラナ、アマ、コムギ、イネ科植物、ムラサキウマゴヤシ、マメ科植物、アブラナ科植物、トマト、レタス、ワタ、イネ、オオムギ、ジャガイモ、タバコ、テンサイ、ヒマワリ、カーネーション、キク、バラ、チューリップからなる群より選択される、請求項１〜７のいずれか１項に記載の方法。
【請求項９】
コントロールと比較したとき増加したストレス耐性を示すトランスジェニック植物であって、該トランスジェニック植物が、その細胞内に、下記の動作可能に結合されたＤＮＡ領域：
（ａ）植物発現性プロモーター、
（ｂ）転写されたときにＲＮＡ分子を生じるＤＮＡ領域であって、該ＲＮＡ分子は、内因性ＰＡＲＰ遺伝子の発現を低下させることができ、該ＲＮＡ分子は、
ｉ）該植物の内因性ＰＡＲＰ遺伝子のヌクレオチド配列と７５％〜１００％の同一性を有する１００ヌクレオチドのヌクレオチド配列を含むセンスヌクレオチド配列、及び
ii）該植物の内因性ＰＡＲＰ遺伝子のヌクレオチド配列と７５％〜１００％の同一性を有する１００ヌクレオチドのヌクレオチド配列を含むアンチセンスヌクレオチド配列、及び
（ｃ）転写終結及びポリアデニル化に関与するＤＮＡ領域
を含むキメラ遺伝子を含む、トランスジェニック植物。
【請求項１０】
該キメラ遺伝子が、下記の動作可能に結合されたＤＮＡ領域：
（ｄ）植物発現性プロモーター、
（ｅ）転写されたときにＲＮＡ分子を生じるＤＮＡ領域であって、該ＲＮＡ分子は、内因性ＰＡＲＰ遺伝子の発現を低下させることができ、該ＲＮＡ分子は、
iii）配列番号２のアミノ酸配列を有するタンパク質をコードするヌクレオチド配列、配列番号４のアミノ酸配列を有するタンパク質をコードするヌクレオチド配列、配列番号６のアミノ酸配列を有するタンパク質をコードするヌクレオチド配列及び配列番号１１のアミノ酸配列を有するタンパク質をコードするヌクレオチド配列からなる群より選択されるヌクレオチド配列と７５％〜１００％の同一性を有する１００ヌクレオチドのヌクレオチド配列を含むセンスヌクレオチド配列、及び
iv）配列番号２のアミノ酸配列を有するタンパク質をコードするヌクレオチド配列、配列番号４のアミノ酸配列を有するタンパク質をコードするヌクレオチド配列、配列番号６のアミノ酸配列を有するタンパク質をコードするヌクレオチド配列及び配列番号１１のアミノ酸配列を有するタンパク質をコードするヌクレオチド配列からなる群より選択されるヌクレオチド配列の相補物と７５％〜１００％の同一性を有する１００ヌクレオチドのヌクレオチド配列を含むアンチセンスヌクレオチド配列、
を含み、該センスヌクレオチド配列及び該アンチセンスヌクレオチド配列は、二本鎖ＲＮＡ領域内に結合することができ、
（ｆ）転写終結及びポリアデニル化に関与するＤＮＡ領域
を含む、請求項９に記載のトランスジェニック植物。
【請求項１１】
該ＲＮＡ分子が、
ｉ）配列番号１のヌクレオチド配列、配列番号３のヌクレオチド配列、配列番号５のヌクレオチド配列及び配列番号１０のヌクレオチド配列からなる群より選択されるヌクレオチド配列と７５％〜１００％の同一性を有する１００ヌクレオチドのヌクレオチド配列を含むセンスヌクレオチド配列、及び
ii）配列番号１のヌクレオチド配列、配列番号３のヌクレオチド配列、配列番号５のヌクレオチド配列及び配列番号１０のヌクレオチド配列からなる群より選択されるヌクレオチド配列の相補物と７５％〜１００％の同一性を有する１００ヌクレオチドのヌクレオチド配列を含むアンチセンスヌクレオチド配列
を含む、請求項１０に記載のトランスジェニック植物。
【請求項１２】
該植物発現性プロモーターが、構成プロモーターである、請求項９〜１１のいずれか１項に記載のトランスジェニック植物。
【請求項１３】
該植物が、トウモロコシ、採油用セイヨウアブラナ、アマ、コムギ、イネ科植物、ムラサキウマゴヤシ、マメ科植物、アブラナ科植物、トマト、レタス、ワタ、イネ、オオムギ、ジャガイモ、タバコ、テンサイ、ヒマワリ、カーネーション、キク、バラ、チューリップからなる群より選択される、請求項９〜１２のいずれか１項に記載のトランスジェニック植物。
【請求項１４】
該キメラ遺伝子を含む、請求項９〜１３のいずれか１項に記載の植物の種子。
【請求項１５】
配列番号１１のアミノ酸配列をコードするヌクレオチド配列を含む単離されたＤＮＡ配列。
【請求項１６】
配列番号１０の位置８１のヌクレオチド〜位置３０２０のヌクレオチドのヌクレオチド配列を含む、請求項１５に記載の単離されたＤＮＡ配列。
【請求項１７】
該植物の細胞内に該ヌクレオチド配列を導入することによってストレス耐性植物を産生するための植物ＰＡＲＰ遺伝子又はその相補物のヌクレオチド配列の使用であって、該ヌクレオチド配列又はその相補物が、該植物の内因性ＰＡＲＰ遺伝子からの１００ヌクレオチドと７５％〜１００％の同一性を有する１００ヌクレオチドのヌクレオチド配列を含み、内因性ＰＡＲＰ遺伝子の発現を低下するために用いられることを特徴とする、使用。